(57)【要約】【課題】２つのセンサ間に原稿が搬送詰りした場合でも、搬送詰り原稿の除去成否の判断が可能な自動原稿搬送装置を提供する。【解決手段】自動原稿搬送装置は、非検知状態の第１検知部と非検知状態の第２検知部との間に位置する前記原稿の搬送詰り状態が解除されたか否かを、前記原稿の搬送詰り状態を解除するためのジャム解除操作後に当該第１検知部および当該第２検知部が非検知状態であることを示す第１判断要素と、前記ジャム解除操作の際に前記非検知状態の第１検知部および前記非検知状態の第２検知部のいずれか一方または両方が非検知状態から検知状態へ移行したことまたは検知状態から非検知状態に移行したことを示す第２判断要素とに基づいて判断する解除判断部とを備える。【選択図】図５
2013049535.tif 000002
【特許請求の範囲】
【請求項１】
給紙部から原稿画像の読取位置へ原稿を搬送し当該原稿を排紙部へ排出する経路である原稿搬送路と、
前記原稿搬送路に沿って配置される、前記原稿を挟持しながら搬送する複数の搬送ローラ対と、
前記原稿を検知するために前記原稿搬送路に沿ってそれぞれ配置される複数の検知部と、を備える自動原稿搬送装置であって、
前記複数の検知部のうち、非検知状態の第１検知部と非検知状態の第２検知部との間に位置する前記原稿の搬送詰り状態が解除されたか否かを、前記原稿の搬送詰り状態を解除するためのジャム解除操作後に当該第１検知部および当該第２検知部が非検知状態であることを示す第１判断要素と、前記ジャム解除操作の際に前記非検知状態の第１検知部および前記非検知状態の第２検知部のいずれか一方または両方が非検知状態から検知状態へ移行したことまたは検知状態から非検知状態に移行したことを示す第２判断要素と、に基づいて判断する解除判断部とを備える自動原稿搬送装置。
【請求項２】
前記解除判断部は、
前記ジャム解除操作後に、前記第１判断要素を満足するか否かを判断する第１サブ判断部と、
前記第１サブ判断部の判断が前記第１判断要素を満足する結果であった場合に、前記第２判断要素を満足するか否かを判断する第２サブ判断部と、
前記第２サブ判断部の判断が前記第２判断要素を満足する結果であった場合に、搬送詰り状態が解除されたことを示す搬送詰り解除情報を通知する解除通知部と、を有する請求項１に記載の自動原稿搬送装置。
【請求項３】
前記解除判断部は、
前記第１サブ判断部の判断が前記第１判断要素を満足しない結果であった場合に、前記ジャム解除操作後、前記第１検知部および前記第２検知部が非検知状態であるか否かを判断する第３サブ判断部と、を有し、
前記解除通知部は、前記第３サブ判断部の判断が前記第１検知部および前記第２検知部が非検知状態であるとの結果であった場合に、搬送詰り状態が解除されたことを示す搬送詰り解除情報を通知する、請求項２に記載の自動原稿搬送装置。
【請求項４】
前記第１検知部と前記第２検知部とは互いに隣り合って配置されており、
所定期間内に、前記原稿搬送路上流側の前記第１検知部が検知してから当該原稿搬送路下流側の前記第２検知部が検知したか否かを判断するジャム判断部を有する請求項１〜３のいずれか１項に記載の自動原稿搬送装置。
【請求項５】
前記自動原稿搬送装置は、
前記搬送詰り原稿を取り除けるように前記原稿搬送路を開放可能な搬送路カバーと、
前記搬送詰り原稿を挟持している前記搬送ローラ対を回転させて、前記給紙部側あるいは前記排紙部側へ送り出す原稿除去機構部を有する請求項１〜４のいずれか１項に記載の自動原稿搬送装置。
【請求項６】
前記原稿除去機構部は、
前記搬送ローラ対を構成する駆動ローラを回転させる回転操作部を有する請求項５に記載の自動原稿搬送装置。
【発明の詳細な説明】
【技術分野】
【０００１】
本発明は、原稿画像の読取位置へ原稿を搬送し当該原稿を排紙位置へ排出する経路である原稿搬送路と、前記原稿搬送路に沿って配置される、前記原稿を挟持しながら搬送する複数の搬送ローラ対と、前記原稿を検知するために前記原稿搬送路に沿ってそれぞれ配置される複数の検知部とを備える自動原稿搬送装置に関するものである。
【背景技術】
【０００２】
かかる自動原稿搬送装置として、下記特許文献１に開示される装置が知られている。自動原稿搬送装置は、原稿載置部に載置された原稿を１枚ずつ原稿搬送路に送り込み、搬送路の途中に設けられた画像読取部で原稿画像を読み取ったのち、排紙トレイに原稿を排出する機能を有している。
【０００３】
このような原稿搬送路を有する装置の場合、搬送途中で原稿の搬送詰まり（ジャム）が生じることがある。ジャムの発生は、原稿搬送経路に配置されたセンサの検知状態（ＯＮ）をモニターすることで得られる。ジャムが発生した場合に原稿を搬送路から取り除くため、原稿搬送路を開放させる搬送路カバーが設けられている。ジャムを解除するときは、作業者が搬送路カバーを手で持ち上げて原稿を取り除き、再び搬送路カバーを閉じるようにしている。そして、この手動操作の後で、搬送詰りを検知していたセンサが検知状態（ＯＮ）から非検知状態（ＯＦＦ）になっているか否かに基づいて搬送詰り原稿の除去の成否を判断していた。
【０００４】
上記特許文献１において、搬送詰り原稿がセンサで検知出来ない位置にある場合には、上述のような搬送詰り原稿の除去判断は有効ではない。すなわち、原稿搬送路に設けられている２つのセンサ間で、原稿がジャムした場合には、センサが検出できる位置に搬送詰り原稿が存在しない。従って、搬送詰り原稿が除去されたか否かにかかわらず、センサが非検知状態（ＯＦＦ）であるため、搬送詰り原稿が除去されたか否かを識別できない。例えば、搬送詰り原稿が、２つのセンサ間にあって、搬送路カバーを開けた状態で、視認困難な位置にある場合には、搬送詰り原稿の存在に気づかずに、そのまま搬送路カバーを閉じることになる。さらに、センサでは依然として非検知状態であるため、搬送詰り原稿が除去されていないにもかかわらず除去されたと誤判断していた。
【０００５】
また、通常運転時に搬送される記録紙をセンサで検知し、記録紙の状態情報として記憶しておき、ジャム発生時に何枚の記録紙がどの位置に存在するかを知る方法がある（特許文献２）。この特許文献２では、通常運転時の記録紙の位置をメモリに記憶していることで、ジャムの記録紙を除去した後でセンサが検知していない状態であっても、搬送路内に記録紙が残留しているか否かを判断できる。
【先行技術文献】
【特許文献】
【０００６】
【特許文献１】特開２０１０−４５６９５号公報
【特許文献２】特開２００１−１５８５６６号公報
【発明の概要】
【発明が解決しようとする課題】
【０００７】
しかしながら、上記特許文献２では、記録紙１枚ごとにセンサ検知の状態情報をメモリに順次記憶し、この記録紙が装置から排出されたらそのメモリデータがクリアされて次の記録紙の状態情報が記憶される。すなわち、通常運転時に搬送路内を搬送される記録紙をセンサで検知し、メモリに順次記憶させていくための構成が必要であったため、より簡単な構成でかつ通常運転時の状態情報を用いない構成が望まれていた。
【０００８】
本発明は上記実情に鑑みてなされたものであり、その課題は、非検知状態の２つのセンサ間に原稿が搬送詰りした場合でも、従来よりも簡単な構成で搬送詰り原稿の除去成否の判断が可能な自動原稿搬送装置を提供することである。
【課題を解決するための手段】
【０００９】
本発明に係る自動原稿搬送装置は、給紙部から原稿画像の読取位置へ原稿を搬送し当該原稿を排紙部へ排出する経路である原稿搬送路と、
前記原稿搬送路に沿って配置される、前記原稿を挟持しながら搬送する複数の搬送ローラ対と、
前記原稿を検知するために前記原稿搬送路に沿ってそれぞれ配置される複数の検知部と、を備える自動原稿搬送装置であって、
前記複数の検知部のうち、非検知状態の第１検知部と非検知状態の第２検知部との間に位置する前記原稿の搬送詰り状態が解除されたか否かを、前記原稿の搬送詰り状態を解除するためのジャム解除操作後に当該第１検知部および当該第２検知部が非検知状態であることを示す第１判断要素と、前記ジャム解除操作の際に前記非検知状態の第１検知部および前記非検知状態の第２検知部のいずれか一方または両方が非検知状態から検知状態へ移行したことまたは検知状態から非検知状態に移行したことを示す第２判断要素と、に基づいて判断する解除判断部とを備える。
【００１０】
これによって、ジャム解除操作後において搬送詰り原稿の除去の成否の判断を、第１判断要素（従来と同じ判断要素）に加え、第２判断要素も判断することで、従来よりも簡単な構成で、非検知状態である２つの検知部間に存在している搬送詰り原稿の除去の成否判断が可能になった。
【００１１】
上記発明において、複数の検知部は、原稿搬送路に沿って任意の間隔でそれぞれは位置される。この間隔は、例えば、用いられる原稿の搬送方向の長さよりも小さい間隔あるいはそれ以上に大きい間隔、搬送ローラ対の間隔に応じた間隔、原稿搬送路内で原稿の搬送詰まりが生じやすい位置から搬送方向下流側の搬送ローラ対までの間隔など、原稿搬送路に対応して設定される。
【００１２】
また、上記発明において、第１検知部および第２検知部のうちいずれか一方または両方が、搬送ローラ対の近傍、例えば、搬送方向に対して搬送ローラ対の下流側あるいは上流側に配置されていることが好ましい。ジャム解除操作の際に、搬送ローラ対で挟まれている状態の搬送詰まり原稿をジャム解除操作することで、この近傍の検知部が非検知状態から検知状態に移行させることができるため、ジャム解除操作が正しく行われているかを判断できる。
【００１３】
また、上記発明において、第１検知部と第２検知部とが互いに隣りあって配置されていることが好ましい。このような配置であれば、原稿サイズの大小にかかわらずジャム原稿（搬送詰まり原稿）の除去の成否を的確に判断できる。また、第１検知部と第２検知部との間に第３検知部が配置されていてもよい。このような配置の場合、第３検知部の検知状態あるいは非検知状態を判断要素に追加してもよいが、第１、第２検知部の検知状態と非検知状態とに基づく判断だけでジャム原稿の除去の成否を判断できる。
【００１４】
本発明において、前記解除判断部は、
前記ジャム解除操作後に、前記第１判断要素を満足するか否かを判断する第１サブ判断部と、
前記第１サブ判断部の判断が前記第１判断要素を満足する結果であった場合に、前記第２判断要素を満足するか否かを判断する第２サブ判断部と、
前記第２サブ判断部の判断が前記第２判断要素を満足する結果であった場合に、搬送詰り状態が解除されたことを示す搬送詰り解除情報を通知する解除通知部とを有することが好ましい。
【００１５】
これによって、第１判断要素での判断の後に、第２判断要素での判断を行い、搬送詰り状態が解除されたことを所定の表示部や制御部等へ通知することができ、通常動作を再開させることができる。
【００１６】
本発明において、前記解除判断部は、
前記第１サブ判断部の判断が前記第１判断要素を満足しない結果であった場合に、前記ジャム解除操作後、前記第１検知部および前記第２検知部が非検知状態であるか否かを判断する第３サブ判断部とを有し、
前記解除通知部は、前記第３サブ判断部の判断が前記第１検知部および前記第２検知部が非検知状態であるとの結果であった場合に、搬送詰り状態が解除されたことを示す搬送詰り解除情報を通知することが好ましい。
【００１７】
これによって、第１判断要素を満足しない結果であった場合には、少なくとも第１、第２検知部のいずれか一方で、搬送詰り原稿が検知できている状態であるため、従来のジャム解除操作（搬送詰り原稿除去操作）で、例えば、搬送路カバーを開けて手動で搬送詰り原稿を取り除く、あるいは搬送詰り原稿を挟んでいる駆動ローラを回転させて取り除くことができる。
【００１８】
本発明において、前記第１検知部と前記第２検知部とは互いに隣り合って配置されており、
所定期間内に、前記原稿搬送路上流側の前記第１検知部が検知してから当該原稿搬送路下流側の前記第２検知部が検知したか否かを判断するジャム判断部を有する。
【００１９】
このジャム判断部の判断結果に基づいて、搬送詰りが発生したか否かを判断できる。そして、搬送詰りであるとの判断結果の場合に、その旨を所定の表示部や制御部等へ通知することができ、通常動作を停止して、搬送詰り原稿を除去して搬送詰り状態を解除するための操作へ移行させることができる。なお、上記「所定期間」は、原稿の搬送速度と、原稿搬送路上流側の検知部と原稿搬送路下流側の検知部との距離から算出される時間に基づいて設定される。また、上記「通過期間」は、原稿の搬送速度と、原稿の搬送方向長さから算出される時間に基づいて設定される。
【００２０】
本発明において、前記自動原稿搬送装置は、前記搬送詰り原稿を取り除けるように前記原稿搬送路を開放する搬送路カバーと、前記搬送詰り原稿を挟持している前記搬送ローラ対を回転させて、前記給紙部側あるいは前記排紙部側へ送り出す原稿除去機構部を有することが好ましい。前記ジャム解除操作として、前記搬送路カバーを開けて前記原稿搬送路を開放し、搬送詰り原稿を確認して手動あるいは後述する原稿除去機構部を用いて除去できる。また、上記ジャム解除操作として、前記原稿除去機構部によって、搬送ローラを回転させて前記搬送詰り原稿を送り出して除去することができる。
【００２１】
本発明において、前記原稿除去機構部は、前記搬送ローラ対を構成する駆動ローラを回転させる回転操作部を有することが好ましい。
【図面の簡単な説明】
【００２２】
【図１】本実施形態の自動原稿搬送装置を備えた画像形成装置を示す概略縦断面図
【図２】搬送路カバー（ＡＤＦカバー）を開けた状態の正面断面図
【図３】搬送路カバー（ＡＤＦカバー）を開けた状態の斜視図
【図４】回転操作部の駆動伝達機構を説明するための背面断面図
【図５】搬送詰り原稿のジャム状態の一例を説明するための図
【図６】回転操作部を操作して、搬送詰り原稿を送り出している状態を説明するための図
【図７】本実施形態の搬送詰り原稿の除去成否を判断するためのフローチャート
【図８】本実施形態の搬送詰り原稿の除去成否を判断するためのフローチャート
【図９】本実施形態の搬送詰り判断部の機能を示す機能ブロック図
【発明を実施するための形態】
【００２３】
本発明に係る自動原稿搬送装置を備えた画像形成装置の好適な実施形態を図面を用いて説明する。図１は本実施形態の自動原稿搬送装置を備えた画像形成装置を示す概略縦断面図である。
【００２４】
図１に示す画像形成装置１は、複写機能、ファクシミリ機能及びプリンタ機能を兼ね備えた所謂デジタル複合機であるが、複写装置、ファクシミリ装置或いはプリンタ装置として具現化されるものであっても良い。図例の画像形成装置１は、上部から自動原稿搬送装置（ＡＤＦ）２、画像読取部３、画像記録部及び記録紙供給部が積層状態で構成されている。画像記録部及び記録紙供給部は、画像読取部３の下部に配置されるが図示を省略する。
【００２５】
画像読取部３は、第１の画像読取部としてのＡＤＦ原稿読取部３１とフラットベッドスキャナー（ＦＢＳ）３２とにより構成される。図１は、読取走査装置３０が、ＡＤＦ２によって順次搬送される原稿の表面画像を読取るべくＡＤＦ原稿読取部３１に配置されている。ＦＢＳ３２において画像読取を行う場合は、読取走査装置３０がＦＢＳ３２に移動し、プラテンガラス３３の下を左右に往復移動しながら、プラテンガラス３３の上に下向きに置かれた原稿の画像を読取る。
【００２６】
読取走査装置３０は、光源と、複数のミラーと、集光レンズと、ＣＣＤとを走査キャリッジ内に搭載して構成されている。走査キャリッジは、画像読取部筐体３４内において、不図示の駆動装置によって、前記ＡＤＦ原稿読取部３１への移動及び静止、ＦＢＳ３２への移動及び往復移動可能に設置されている。そして、各読取部において、光源によって照射された原稿画像は、ＣＣＤで結像されて電気信号に変換されて送出される。画像読取部筐体３４の前面側には、不図示の操作パネル部が形成され、その表面には各種操作キー及び表示部等が設けられる。図１及び図２では紙面手前側が前面側、奥側が後面側と定義する。本発明に係る自動原稿搬送装置としてのＡＤＦ２の詳細は後記する。
【００２７】
ＡＤＦ２は、原稿トレイ（給紙部）２０に置かれた原稿束の上層から原稿Ｐを１枚ずつ分離して、湾曲する原稿の搬送路７０に供給し、２個所のＡＤＦ原稿読取部（画像読取部）を経て原稿排出トレイ（排紙部）２２上に排出するよう構成されている。搬送路７０は、略同曲率で湾曲する内外のガイド壁の間に形成される。これらガイド壁の表面には、原稿の搬送方向に沿った複数のガイドリブが形成される。
【００２８】
原稿トレイ２０に置かれた原稿Ｐは、ピックアップローラ１３０によって繰り出され、給紙ローラ１３１とそれと対向配置された分離パッド１３１１とのニップ部に導入され、１枚ずつ分離されて搬送路７０に供給される。搬送路７０には、第１の搬送ローラ対１３２，１３３、第２の搬送ローラ対１３２，１３４が設置されている。該搬送路７０に供給された原稿Ｐは、第１の搬送ローラ対１３２，１３３および第２の搬送ローラ対１３２，１３４によって読取位置に供給され、さらに下流へ送り出される。第１の搬送ローラ対１３２，１３３はレジストローラの機能を兼ねている。大径の搬送ローラ１３２は、駆動ローラであり、その従動ローラとしてプレスローラ１３３、１３４が対向配置されている。この大径の搬送ローラ１３２は、原稿Ｐが読取位置に来たときに読取用プラテンローラとしての機能も兼ねている。搬送ローラ１３２とコンタクトガラス３１１とのニップ部に原稿Ｐが導入され読み取られる。
【００２９】
コンタクトガラス３１１の下には前記読取走査装置３０が静止されて、表面ＡＤＦ原稿読取部３１が構成される。そして、搬送ローラ（読取用プラテンローラ）１３２とコンタクトガラス３１１との間を通過する原稿Ｐの表面画像が読取走査装置３０内の読取光学系によって読み取られ、電気信号として送出される。表面画像が読み取られた原稿Ｐは、排出ローラ対１３５，１３６によって原稿排出トレイ２２上に排出される。
【００３０】
＜検知部の構成＞
次に、原稿搬送路に沿って搬送される原稿を検知する検知部について説明する。検知部は、ピックアップローラ１３０の下流側に配置されるセンサＤＳ１と、第１の搬送ローラ対１３２、１３３のニップ部の上流に配置されるセンサＤＲＳと、第２の搬送ローラ対１３２、１３４のニップ部の上流側に配置されるセンサＤＳ２（第１検知部に相当する）と、排紙ローラ対１３５、１３６のニップ部の上流側に配置されるセンサＤＥＸＩＴ（第２検知部に相当する）を有する。検知部を構成するセンサとして、例えば、光学式センサ、静電容量式センサ等が挙げられる。
【００３１】
センサＤＳ１は、原稿トレイ２０上の正規位置に載置された原稿Ｐを検出する。これにより、ピックアップローラ１３０が上方から降下して回転駆動し、原稿を給紙する。センサＤＲＳは、搬送されてきた原稿Ｐを検出する。この検出のタイミングから所定時間経過した後、直下流にある搬送ローラ１３２が回転する。このセンサＤＲＳの基本的機能は、原稿Ｐの斜行補正（レジスト）である。センサＤＳ２は、読取位置前で搬送原稿を検出する。この検出により原稿Ｐの先端が読取位置に到達する時間が予測でき、原稿の読取位置への到達に合わせて、原稿の読取動作を開始できる。センサＤＥＸＩＴは、読取後の原稿である排紙原稿を検出する、すなわち、搬送詰りを検出する。これにより排紙時に原稿Ｐが搬送詰り（ジャム）しているか否かを検出できる。搬送詰りの判断については後述する。
【００３２】
＜検知部を用いた搬送詰りの判断方法＞
図９にジャムが発生したか否かを検知するジャム検知部８０を示す。ジャム検知部８０は、互いに隣り合う第１検知部と第２検知部とにおいて、所定期間内に、原稿搬送路上流側の第１検知部が検知してから当該原稿搬送路下流側の第２検知部が検知したか否かを判断する第１ジャム判断部８１を有する。例えば、第１ジャム判断部８１は、原稿ＰがセンサＤＲＳで検知されてからセンサＤＳ２で検知されるまでの期間が所定期間（第１、第２検知部間距離÷原稿搬送速度＋マージン）内でなかった場合に原稿Ｐが搬送詰りをしていると判断する。また、ジャム検知部８０は、第１、第２検知部のいずれか一方が検知状態から非検知状態へ移行したことを示す通過期間が所定値を超えたか否かを判断する第２ジャム判断部８２を有する。例えば、第２ジャム判断部８２は、原稿ＰがセンサＤＥＸＩＴで検知状態から非検知状態へ移行した期間（通過期間）が所定値（搬送路に沿った原稿長÷原稿搬送速度＋マージン）を越えた場合に原稿Ｐが搬送詰りをしていると判断する。
【００３３】
＜ジャム解除操作＞
原稿搬送路にジャムが生じた場合、搬送路内に詰まっている原稿Ｐを取り除く操作が行われる。操作者が、ＡＤＦカバー１０（搬送路カバーに相当する）を開けて、搬送詰りの原稿Ｐを取り除く。図２、３は、ＡＤＦカバー１０を開いた時の状態を示す断面部と外観斜視図である。
【００３４】
ＡＤＦカバー１０は、ヒンジ部によって開閉可能になっており、前記ＡＤＦ２におけるピックアップローラ１３０から下流側部分が覆われている。該ＡＤＦカバー１０の内側には、ピックアップローラ１３０、給紙ローラ１３１及び第１の搬送ローラ対１３２、１３３を構成する従動側のプレスローラ１３３が設置されている。
【００３５】
また、ＡＤＦカバー１０の内側には、前記原稿の湾曲搬送路７０を構成する外側ガイド壁の一部が形成されている、従って、ＡＤＦカバー１０を開けると（図２、図３参照）、給紙ローラ１３１と分離パッド１３１１とのニップ状態、第１の搬送ローラ対１３２，１３３のニップ状態が解除される。また、これにより、第２の搬送ローラ対１３２、１３４に至る原稿搬送路が開放され、内側のガイド壁、分離パッド１３１１及び第１の搬送ローラ１３２が露出された状態となる（図２参照）。なお、ＡＤＦカバー１０の開操作は、搬送路７０における搬送詰り原稿（ジャム原稿）の取出し、或いは各機構部等のメンテナンスの際にもなされる。
【００３６】
また、図２、３に示すように、上記第１、第２搬送ローラ対を構成する駆動ローラ１３２を回転させるためのジャムアクセスダイヤル３０１（回転操作部に相当する）が設けられている。図４はジャムアクセスダイヤル３０１の駆動伝達機構を説明するための図である。図４において、ジャムアクセスダイヤル３０１を回転させるとこれと同軸のギア４０１が回転する。ギア４０１の回転に連動して搬送ローラ１３２と同軸のギア４０２が回転する。ギア４０２の回転に連動してギア４０２と噛み合っているギア４０３が回転し、ギア４０３と噛み合っているギア４０４が回転し、ギア４０４と噛み合っているギア４０５が回転しており、ギア４０１からギア４０５までの一連駆動伝達系が構成されている。ギア４０５と同軸の排紙ローラ１３５が回転する。ギア４０１の回転に連動してギア４０６が回転するが、ギア４０６と同軸にクラッチが介在しており駆動伝達がここで遮断される。ギア４０２の回転で搬送ローラ１３２が回転し、この周方向に配置された各プレスローラ１３３、１３４も追従して回転する。例えば、図５に示すように、第２搬送ローラ対１３２、１３４に原稿後部が挟まった状態で搬送詰りしている原稿Ｐを、ジャムアクセスダイヤル３０１を回転させて、第２搬送ローラ対１３２、１３４を逆回転させて送り出し上流側から除去できる。
【００３７】
＜搬送詰り原稿の除去正否を判断するフロー＞
次に本実施形態における搬送詰り原稿の除去正否を判断するフローについて図７、８を用いて説明する。図９は、本実施形態の解除判断部の機能を示す機能ブロック図である。
【００３８】
原稿ＰがＡＤＦ２で自動搬送可能な状態となっており、原稿Ｐの搬送終了時に以下の判断が実行される。ジャム検知部８０は、上述した第１ジャム判断部８１と第２ジャム判断部８２を有し、これらの判断で搬送詰り（ジャム）が発生したか否かを判断する（Ｓ１）。ジャムが発生していない場合には、正常運転が継続される。一方、ジャムが発生したと判断された場合には、ジャム報知部８３がジャムであることを示すジャム情報を表示部へ送り、表示部がジャム情報を表示する（Ｓ２）。ここでは、図５に示すように、第２搬送ローラ対１３２、１３４にその後端部分が挟まった状態でジャムしている原稿Ｐについて説明する。原稿Ｐは、その後端がセンサＤＳ２に検知されていない非検知状態（ＯＦＦ）であり、その先端もセンサＤＥＸＩＴに検知されていない非検知状態（ＯＦＦ）である。以下においてジャム状態の原稿をジャム原稿と称する場合がある。
【００３９】
解除判断部９０は、センサＤＳ２とセンサＤＥＸＩＴがいずれも非検知状態であるか否かを判断する（Ｓ３）。センサのいずれか一方が検知状態（ＯＮ）であれば、図８のフローＦ１へ移行する。本実施形態では、図５に示すようなジャム状態であるため、両方のセンサがともに非検知状態（ＯＦＦ）であるため、次の判断ステップ（Ｓ４）へ移行する。
【００４０】
次に、センサのＯＮ・ＯＦＦ検知に基づくジャム除去判断が必要な場所か否かを判断する（Ｓ４）。これは操作者によって判断可能である。すなわち、ＡＤＦカバー１０を開けたときに視認可能な位置にジャム原稿がある場合には、ジャム原稿を見逃すことがないため、図８のフローＦ１へ移行する。一方視認可能な位置にジャム原稿がない場合には、ジャム原稿を見過ごしてしまう可能性があり、この場合に次の判断ステップ（Ｓ５）へ移行する。
【００４１】
次に、ジャム解除操作が実行される。操作者がＡＤＦカバー１０を開ける（Ｓ６）。次いで、図５，６に示すように、操作者がジャムアクセスダイヤル３０１を回転させて、第２搬送ローラ対１３２、１３４にジャム原稿の後部が挟まった状態で搬送詰りしている原稿Ｐを、第２搬送ローラ対１３２、１３４を逆回転させて送り出し除去する。このとき、解除判断部９０は、センサＤＳ２、センサＤＥＸＩＴのＯＮ・ＯＦＦ検知状態を監視し、その検知状態をメモリ９４に記憶する（Ｓ６）。この監視は、次のステップ（Ｓ７）であるＡＤＦカバー１０を閉じる時点まで実行される。ここでは、センサＤＳ２が最初ＯＦＦであり、ジャム解除操作によって原稿Ｐの後端がセンサＤＳ２で検知されてセンサＤＳ２が検知状態のＯＮになり、その先端がセンサＤＳ２を通過後にセンサＤＳ２が非検知状態のＯＦＦになる。すなわち、メモリ９４には、センサＤＳ２がＯＦＦからＯＮに切り替われ、次いで、ＯＮからＯＦＦに切り替わったことを意味するＯＮ・ＯＦＦ検知状態の情報（OFF→ON→OFF）が記憶される。
【００４２】
次に、ＡＤＦカバー１０を閉じた後で、ジャム原稿の除去成否を判断する。第１サブ判断部９１は、センサＤＳ２およびセンサＤＥＸＩＴの両方が、現時点で非検知状態（ＯＦＦ）であるか否かを判断する（Ｓ８）。いずれか一方のセンサが検知状態であれば、図８のフローＦ１へ移行する。これは、ジャム解除操作で原稿位置が変化しているからである。本実施形態では、図５から図６のように原稿Ｐがジャム解除操作で除去された結果、センサＤＳ２とセンサＤＥＸＩＴはいずれも非検知状態（ＯＦＦ）であるため、次の判断ステップ（Ｓ９）へ移行する。
【００４３】
次に、第２サブ判断部９２は、センサＤＳ２とセンサＤＥＸＩＴのいずれか一方がＯＮ・ＯＦＦ検知状態になっていたか否かを判断する（Ｓ９）。第２サブ判断部９２は、ステップＳ６で実行されたＯＮ・ＯＦＦ検知状態の情報を判断する。第２サブ判断部９２は、ＯＮ・ＯＦＦ検知状態の情報の中に、例えば、センサＤＳ２がONからＯFF切り替わったことを示す情報（ON→OFF）があるか否かを判断する。両方のセンサにおいてＯＮ・ＯＦＦ検知状態の情報中に、ON→OFFの情報がなかった場合には、ステップＳ５に戻り、所定のジャム解除操作を再開する。本実施形態では、ジャム解除操作で、センサＤＳ２がＯＦＦからＯＮ、次いでＯＮからＯＦＦに遷移しており、ジャム原稿Ｐが除去されたことを的確に判断できる。
【００４４】
次いで、解除通知部９６は、ジャム状態が解除されたことを示す搬送詰り解除情報を表示部に通知し、表示部が正常運転可能になったことを示す情報を表示する（Ｓ１０）。これによって、正常運転へ移行する。
【００４５】
次に、図８のフローＦ１について説明する。ここでは、従来と同様のジャム解除操作が実行される。操作者がＡＤＦカバー１０を開ける（Ｓ１１）。操作者がジャム原稿を掴んで取り除く（Ｓ１２）。操作者は、視認できる位置のジャム原稿を簡単に取り除ける。または、第２搬送ローラ対１３２、１３４や排紙ローラ対１３５、１３６に挟まっているジャム原稿を、ジャムアクセスダイヤル３０１を回転させることで送り出して取り除く。次に、ＡＤＦカバー１０を閉じる（Ｓ１３）。
【００４６】
次に、第３サブ判断部９３は、上記のジャム解除操作後に、センサＤＳ２およびセンサＤＥＸＩＴの両方が非検知状態（ＯＦＦ）であるか否かを判断する（Ｓ１４）。いずれか一方のセンサが検知状態（ＯＮ）であれば、ステップＳ１１に戻り、再びジャム解除操作を実行する。両方のセンサが非検知状態（ＯＦＦ）であれば、ジャム原稿が確実に除去されたことになり、次のステップ（Ｓ１５）に移行する。
【００４７】
次に、解除通知部９６は、ジャム状態が解除されたことを示す搬送詰り解除情報を表示部に通知し、表示部が正常運転可能になったことを示す情報を表示する（Ｓ１５）。これによって、正常運転へ移行する。
【００４８】
＜別実施形態＞
本実施形態では、２つの隣り合う検知部の一例として、センサＤＳ２およびセンサＤＥＸＩＴを用いて説明したが、これに制限されず、他のセンサにおいても本発明は同様に適用できる。
【００４９】
また、本実施形態では、ジャム解除操作として、手動によるＡＤＦカバー１０の開閉、手動での原稿除去操作（例えば、原稿の引っ張り動作）、およびジャムアクセスダイヤル３０１による搬送ローラ対の回転操作について説明したが、これに制限されず、他のジャム解除操作として、自動的に駆動ローラを正転あるいは逆転させてジャム原稿を送り出して除去することも可能である。
【００５０】
また、本実施形態では、第２サブ判断部９２は、ＯＮ・ＯＦＦ検知状態の情報の中に、センサＤＳ２（またはセンサＤＥＸＩＴ）がＯNからＯFF切り替わったことを示す情報（ON→OFF）があるか否かを判断することについて説明したが、これに制限されず、別実施形態として、第２サブ判断部９２は、ＯＮ・ＯＦＦ検知状態の情報の中に、センサＤＳ２（またはセンサＤＥＸＩＴ）がＯFFからＯNに切り替わったことを示す情報（OFF→ON）があるか否かを判断してもよく、センサＤＳ２（またはセンサＤＥＸＩＴ）がＯＮであったことを示す情報があるか否かを判断してもよく、センサＤＳ２（またはセンサＤＥＸＩＴ）がＯFFからＯN、次いでONからOFFに切り替わったことを示す情報（OFF→ON→OFF）があるか否かを判断してもよい。
【００５１】
また、本実施形態では、ＡＤＦ２における搬送詰りについて説明したが、本発明は、記録紙の搬送経路内における搬送詰りにも適用できる。すなわち、隣り合うあるいは間に他の検知部が介在している状態の２つの検知部間に搬送詰り紙が存在し、かつ搬送詰り紙が搬送ローラ対に挟まれた状態のときに、当該搬送ローラを回転させた後に、前記２つの検知部が非検知状態（ＯＦＦ）であって、搬送ローラを回転させたときに前記検知部のいずれかが非検知状態から検知状態に移行したか、または検知状態から非検知状態に移行したかを判断することで、確実にジャム紙の除去がなされたか否かを判断できる。
【００５２】
本実施形態に係るＡＤＦ２は、原稿Ｐの片面を読み取る機能を有しているが、両面読み取りの機能を有した裏面原稿読取部を備えていてもよい。
【符号の説明】
【００５３】
１        画像形成装置
２        自動原稿搬送装置（ＡＤＦ）
３        画像読取部
１０      ＡＤＦカバー（搬送路カバー）
７０      搬送路
８１      第１ジャム判断部
９０      解除判断部
９１      第１サブ判断部
９２      第２サブ判断部
９３      第３サブ判断部
９４      メモリ
９６      解除通知部
１３２，１３３    第１の搬送ローラ対
１３２、１３４    第２の搬送ローラ対
１３５、１３６    排紙ローラ対
３０１    ジャムアクセスダイヤル
ＤＳ２、ＤＥＸＩＴ      センサ
Ｐ        原稿
【図１】
2013049535.tif 000003
【図２】
2013049535.tif 000004
【図３】
2013049535.tif 000005
【図４】
2013049535.tif 000006
【図５】
2013049535.tif 000007
【図６】
2013049535.tif 000008
【図７】
2013049535.tif 000009
【図８】
2013049535.tif 000010
【図９】
2013049535.tif 000011